(57)【要約】【課題】  従来の活性酸素利用のフィルターでは、消臭作用をする活性酸素又はアレルゲンを不活性化する活性酸素が、電気掃除機の排気として外部に排出される恐れがあり、人体に好ましくない。【解決手段】  本発明の電気掃除機は、袋状の集塵フィルター１４に活性酸素発生剤を付与し、また、プレフィルター１８に抗酸化剤を付与して形成する活性酸素除去手段、排気フィルター２２に抗酸化剤を付与して形成する活性酸素除去手段及び排気風路５に抗酸化剤を配置して形成する活性酸素除去手段のうち、少なくとも一つの活性酸素除去手段を設けるものである。【選択図】図２
2006034851.tif 000002
【特許請求の範囲】
【請求項１】
袋状の集塵フィルターを収容する集塵室と、前記集塵室の後方で、通風口を有する隔壁で区画され、電動送風機を収容する電動送風機室と、排気口を有し、前記電動送風機室の後方の排気風路と、前記通風口の前部のプレフィルターと、前記排気口の前部の排気フィルターとを備えた電気掃除機において、
前記袋状の集塵フィルターに活性酸素発生剤を付与し、
また、前記プレフィルターに抗酸化剤を付与して形成する活性酸素除去手段、前記排気フィルターに抗酸化剤を付与して形成する活性酸素除去手段及び前記排気風路に抗酸化剤を配置して形成する活性酸素除去手段のうち、少なくとも一つの活性酸素除去手段を設けることを特徴とする電気掃除機。
【請求項２】
袋状の集塵フィルターを収容する集塵室と、前記集塵室の後方で、通風口を有する隔壁で区画され、電動送風機を収容する電動送風機室と、排気口を有し、前記電動送風機室の後方の排気風路と、前記通風口の前部のプレフィルターと、前記排気口の前部の排気フィルターとを備えた電気掃除機において、
前記プレフィルターに活性酸素発生剤を付与し、
また、前記排気フィルターに抗酸化剤を付与して形成する活性酸素除去手段及び前記排気風路に抗酸化剤を配置して形成する活性酸素除去手段のうち、少なくとも一つの活性酸素除去手段を設けることを特徴とする電気掃除機。
【請求項３】
前記プレフィルターに抗酸化剤を付与して形成する活性酸素除去手段及び前記排気フィルターに抗酸化剤を付与して形成する活性酸素除去手段のそれぞれのフィルターは、気流方向上流側で、塵埃を収集する除塵部と、下流側で、抗酸化剤が付与され、抗酸化機能を有する抗酸化部とからなることを特徴とする請求項１又は請求項２に記載の電気掃除機。
【請求項４】
袋状の集塵フィルターを収容する集塵室と、前記集塵室の後方で、通風口を有する隔壁で区画され、電動送風機を収容する電動送風機室と、排気口を有し、前記電動送風機室の後方の排気風路と、前記通風口の前部のプレフィルターとを備えた電気掃除機において、
前記袋状の集塵フィルターにアレルゲン不活性化剤と吸湿性組成物とを含有する抗アレルゲン剤を付与することを特徴とする電気掃除機。
【請求項５】
前記袋状の集塵フィルターを二層以上の袋を有する多層袋とし、その最内層の袋にアレルゲン不活性化剤と吸湿性組成物とを含有する抗アレルゲン剤を付与することを特徴とする請求項４に記載の電気掃除機。
【請求項６】
袋状の集塵フィルターを収容する集塵室と、前記集塵室の後方で、通風口を有する隔壁で区画され、電動送風機を収容する電動送風機室と、排気口を有し、前記電動送風機室の後方の排気風路と、前記通風口の前部のプレフィルターとを備えた電気掃除機において、
前記プレフィルターを、気流方向上流側の抗アレルゲン部と、該抗アレルゲン部から所定の間隔をあけて配置した塵埃を収集する除塵部とから構成し、前記抗アレルゲン部にアレルゲン不活性化剤と吸湿性組成物とを含有する抗アレルゲン剤を付与することを特徴とする電気掃除機。
【請求項７】
前記電動送風機の吸込み風量が所定量より少なくなったとき、電動送風機の運転を停止するか又は回転数を所定回転数まで小さく制御することを特徴とする請求項４又は請求項６に記載の電気掃除機。
【発明の詳細な説明】
【技術分野】
【０００１】
本発明は、電気掃除機に関し、特に、排気に人体に好ましくないものを排出しない電気掃除機用フィルターの改良に関するものである。
【背景技術】
【０００２】
電気掃除機は、塵埃と共に、異物、細菌、ダニ等を吸引することがあり、この場合、排気として不快臭、細菌、アレルゲン等を排出する恐れがある。
これらを除去するフィルターに関する従来技術としては、例えば、消臭剤として、金属ポルフィリン、金属ポルフィラジン及びこれらの誘導体が用いられ、好ましい例として、コバルト（又は鉄）フタロシアニンオクタカルボン酸、コバルト（又は鉄）フタロシアニンテトラカルボン酸を繊維に担持させたフィルター材がある（例えば、特許文献１参照）。
また、電気掃除機用のフィルターの表面を人工酵素処理し、活性酸素によりダニ、スギ花粉等のアレルゲンを不活性化させるものが報告されている（例えば、非特許文献１参照）。
また、ダニ、ペットの毛、カビ、植物等由来のアレルゲンを不活性化する、アレルゲン不活性化剤と無機塩類等の吸湿性組成物とを含有する抗アレルゲン組成物を付与したフィルターがある（例えば、特許文献２参照）。
【０００３】
【特許文献１】特開昭６２−６９５３号公報（第２頁〜第４頁、第１図〜第２図）
【非特許文献１】“日立の家電品：掃除機”、「ｏｎｌｉｎｅ」、Ｈｉｔａｃｈｉ  Ｈｏｍｅ  ＆  Ｌｉｆｅ  Ｓｏｌｕｔｉｏｓ，Ｉｎｃ．、「平成１４年７月２０日検索」、インターネット<ＵＲＬ：http:／／ｋａｄｅｎｆａｎ．ｈｉｔａｃｈｉ．ｃｏ．ｊｐ／ｃｌｅａｎ／ｌｉｎｅｕｐ／ｓｈ１０／ｃｖｓｈ-０３．ｈｔｍｌ>
【特許文献２】特開２００２−３２６９４４号公報（第２頁〜第４頁）
【発明の開示】
【発明が解決しようとする課題】
【０００４】
しかしながら、上記のような従来のフィルターを電気掃除機に用いる際に、下記のような課題がある。
上記の特許文献１又は非特許文献１によるフィルターでは、消臭作用をする活性酸素又はアレルゲンを不活性化する活性酸素が、電気掃除機の排気として外部に排出される恐れがあり、人体に好ましくない。
【０００５】
また、特許文献２によるフィルターでは、電動送風機の熱により吸湿性組成物の水分提供機能が損われる場合が考えられ、アレルゲン不活性化効果が得られない場合がある。
【０００６】
本発明は、上記のような課題を解消するためになされたもので、塵埃と共に、異物、細菌、ダニ等を吸引しても、排気に人体に好ましくないものを排出しない電気掃除機を提供することを目的とする。
また、消臭、抗菌作用を有すると共に、活性酸素の排出のない電気掃除機を提供することを目的とする。
また、ダニ等を吸引しても、アレルゲンの排出のない電気掃除機を提供することを目的とする。
【課題を解決するための手段】
【０００７】
本発明の電気掃除機は、袋状の集塵フィルターを収容する集塵室と、集塵室の後方で、通風口を有する隔壁で区画され、電動送風機を収容する電動送風機室と、排気口を有し、電動送風機室の後方の排気風路と、通風口の前部のプレフィルターと、排気口の前部の排気フィルターとを備えた電気掃除機であって、袋状の集塵フィルターに活性酸素発生剤を付与し、また、プレフィルターに抗酸化剤を付与して形成する活性酸素除去手段、排気フィルターに抗酸化剤を付与して形成する活性酸素除去手段及び排気風路に抗酸化剤を配置して形成する活性酸素除去手段のうち、少なくとも一つの活性酸素除去手段を設けるものである。
【発明の効果】
【０００８】
本発明の電気掃除機は、塵埃と共に、異物、細菌、ダニ等を吸引しても、活性酸素発生剤を付与された袋状の集塵フィルターの活性酸素により、消臭、抗菌、アレルゲンの不活性化がなされ、排気として人体に好ましくないものの排出が防止できる。
【発明を実施するための最良の形態】
【０００９】
実施の形態１．
図１は、本実施の形態の電気掃除機の電気掃除機本体を示す横断面図であり、図２は、同じく縦断面図である。
本電気掃除機は、電気掃除機本体１（以下、本体１とする）と本体１の前部の吸引口１３に接続され、先端に吸込口を備えた可撓性のホース等とから構成される。本体１の内部は、集塵室２、電動機送風室３、コードリール室４及び排気風路５等に区画される。
集塵室２と電動機送風室３は、一部に通風口７を有する隔壁６によって、前に集塵室２、後に電動機送風室３に区画される。集塵室２は、隔壁６と、外周壁８と、パッキン９と、内面にパッキン９に対向するようにシールリブ１０が突出形成され、本体１にヒンジ１１によって矢印方向に回転自在に取付けられた上蓋１２とから形成される。
【００１０】
集塵室２の前部には、図示しない可撓性ホースが接続される吸引口１３が設けられ、また、集塵室２内の吸引口１３の後部には、袋状の集塵フィルターである集塵袋１４の矩形取付板１４ａを着脱自在に固定する固定手段が設けられる。この固定手段は、集塵袋１４の矩形取付板１４ａの下辺が嵌入される溝１５と、ばね１６により、常時下方に付勢されて矩形取付板１４ａの上辺と係合するホルダ１７とから構成される。このことより、集塵袋１４は、塵埃が溜まると、着脱自在に集塵室２から取出すことができる。
【００１１】
また、集塵袋１４の後方にプレフィルター１８が設けられる。
電動送風機室３には、隔壁６の通風口７に吸引部を臨ませた電動送風機１９が設置される。
コードリール室４は、電動送風機室３の横に設けられ、電源コードを巻き込むための巻取り装置が設けてある。
排気風路５は、コードリール室４と電動送風機室３の間及び電動送風機室３の後方に設けられ、電動送風機１９を制御するための制御基板２０が配置される。制御基板２０には電動送風機１９の異常時の検知をするサーミスター等の保護装置も設けてある。
また、排気風路５の最後部に排気口２１が設けられ、排気口２１の前に排気フィルター２２が設けられる。
【００１２】
次に、活性酸素による消臭、殺菌又はアレルゲン不活性化と、余剰の活性酸素を外部に排出しない本電気掃除機の構造を説明する。
活性酸素発生剤として金属ポルフィリン、金属ポルフィラジン及びこれらの誘導体であるコバルト（又は鉄）フタロシアニンオクタカルボン酸、又はコバルト（又は鉄）フタロシアニンテトラカルボン酸から一種を選択し、袋状の集塵フィルターである集塵袋１４に付与する。即ち、集塵袋１４を活性酸素発生剤の水溶液に浸漬、又は集塵袋１４に水溶液を塗布若しくは吹付け後、乾燥させ活性酸素発生剤を付与する。
また、プレフィルター１８又は排気フィルター２２に抗酸化剤を付与する。抗酸化剤としては、タカラーゼ、グルタチオン、リン酸グルコース、パーオキスターゼ、脱水素酵素等の酵素類又はビタミンＥ、カテキン等のポリフェノール類から選択し、塗布等で付与する。
【００１３】
図３、図４は、抗酸化剤を付与したプレフィルター１８又は排気フィルター２２を示す断面図である。ここで、図３のプレフィルター１８又は排気フィルター２２は、除塵フィルターの設置時の気流の下流側に抗酸化剤を塗布又は含浸させ抗酸化部１８ｂ、２２ｂを形成し、上流側の除塵部１８ａ、２２ａと下流側の抗酸化部１８ｂ、２２ｂとするものであり、また、図４のプレフィルター１８又は排気フィルター２２は、上流側の除塵フィルターと下流側の抗酸化剤を付与した除塵フィルターとを積層して、上流側の除塵部１８ａ、２２ａと下流側の抗酸化部１８ｂ、２２ｂとするものである。なお、プレフィルター１８又は排気フィルター２２は、抗酸化機能を持たせない場合は、通常の除塵フィルターとする（除塵部１８ａ、２２ａのみとする）。
【００１４】
このように、袋状の集塵フィルターである集塵袋１４に活性酸素発生剤を付与し、気流方向で下流となるプレフィルター１８又は排気フィルター２２に抗酸化剤を付与することにより、本電気掃除機は、塵埃と共に、異物、細菌、ダニ等を吸引しても、集塵袋１４中で、又は集塵袋１４を通過時に、活性酸素により、消臭、抗菌、アレルゲン不活性化がなされる。又、気流に含まれる余剰の活性酸素は、プレフィルター１８又は排気フィルター２２の抗酸化剤により除去される。プレフィルター１８又は排気フィルター２２は、フィルター全体を抗酸化部１８ｂ、２２ｂとしてもいいが、特に、上流側を除塵部１８ａ、２２ａとし、下流側に抗酸化部１８ｂ、２２ｂを設けているので、塵埃の混入があっても、塵埃を除去し、速度を落とした状態で活性酸素は、抗酸化剤と接触するので、除去効果が上がる。
また、プレフィルター１８及び排気フィルター２２の両者に抗酸化部１８ｂ、２２ｂを設けてもよく、活性酸素の外部への排出は、より完全となる。
【００１５】
図１、図２に示すように、排気風路５に抗酸化剤を収容したカートリッジ（容器）２３を設けてもよい。抗酸化剤として、天然ハーブ（例えば、ローズマリ）から抽出した抗酸化成分を収容し、このカートリッジ（容器）２３から放出した抗酸化成分が活性酸素を含む排気気流に混入し、活性酸素を除去する。当然ながら、抗酸化機能を有するプレフィルター１８及び／又は排気フィルター２２とともに用いてもよい。
【００１６】
活性酸素発生剤は、集塵袋１４に付与する代りに、プレフィルター１８に付与してもよい。この場合も、プレフィルター１８に対して、気流の下流側となる排気風路５に抗酸化剤を収容したカートリッジ（容器）２３を設ける及び/又は排気フィルター２２に抗酸化剤を付与する。
このようにしても、同様に、塵埃と共に、異物、細菌、ダニ等を吸引しても、プレフィルター１８通過時に、活性酸素により、消臭、抗菌、アレルゲン不活性化がなされ、また、余剰の活性酸素は下流の排気風路５、排気フィルター２２で除去でき、外部に放出されない。
【００１７】
なお、活性酸素発生剤は、コバルト（又は鉄）フタロシアニンオクタカルボン酸、又はコバルト（又は鉄）フタロシアニンテトラカルボン酸の他に、人工酵素を使用し、ダニ、スギ花粉のアレルゲンを不活性化するようにしてもよい。
【００１８】
次に、抗アレルゲン剤として、抗アレルゲン組成物を使用する場合を説明する。
集塵袋１４に、アレルゲン不活性化剤と吸湿性組成物とを含有する抗アレルゲン剤である抗アレルゲン組成物を付与する。
ここで、アレルゲン不活性化剤は、タンニン酸、エピカテキン等のポリフェノール類、２、５−ジヒドロキシ安息香酸等のヒドロキシ安息香酸化合物又はその塩、または茶抽出物、柿渋等である。
これらのアレルゲン不活性化剤の不活性化反応には、水分が必要であり、この水分を供給するための吸湿性組成物としては、マグネシウム又はカルシウムの塩化物又は硫酸塩等のアルカリ土類金属塩を用いる。
これらの所定量の混合物である抗アレルゲン組成物に水を加えた液状物を集塵袋１４に塗布等し、乾燥させ付着させる。この際、付着を良好にするために水溶性の樹脂を加えてもよい。
【００１９】
このように、アレルゲン不活性化剤と吸湿性組成物とを含有する抗アレルゲン組成物からなる抗アレルゲン剤を集塵袋１４に付与することにより、集塵フィルター１４は、気流方向で、電動送風機１９の上流であり、また、集塵フィルター１４と電動送風機１９間には、プレフィルター１８もあることにより、電動送風機１９の熱が伝わり難く吸湿性組成物の水分供給能力を損うことがない。そこで、塵埃と共にダニ等が吸込まれても、集塵袋１４によりアレルゲンが不活性化され、排気と共に外部にアレルゲンが排出されない。
なお、活性酸素利用でない抗アレルゲン剤の使用時のプレフィルター１８及び排気フィルター２２は、通常の除塵フィルターとする。
【００２０】
また、アレルゲン不活性化剤と吸湿性組成物とを含有する抗アレルゲン組成物からなる抗アレルゲン剤を集塵袋１４に付与し、電気掃除機を使用中に、風量センサー等で検知し、電動送風機１９の吸込み風量が所定量より少なくなるとき、電動送風機１９の運転を停止又は回転数を小さくする制御を行うようにしてもよい。このようにすれば、風量が減少することにより、電動送風機１９の熱が集塵袋１４まで伝わり、吸湿性組成物の水分供給機能を損うことを防止することができる。
【００２１】
また、集塵袋１４を二層以上の袋からなる多層袋とし、その最内層にアレルゲン不活性化剤と吸湿性組成物とを含有する抗アレルゲン組成物からなる抗アレルゲン剤を付与するようにしてもよく、このようにすれば、電動送風機１９の熱の影響が一層少なくなり、アレルゲン不活性化機能がより効率よく働く。
【００２２】
さらに、アレルゲン不活性化剤と吸湿性組成物とを含有する抗アレルゲン組成物からなる抗アレルゲン剤を集塵袋１４に付与する代りに、プレフィルター１８に付与してもよい。
この場合は、図５に示すように、プレフィルター１８は、気流方向で上流側の抗アレルゲン部１８ｃと、間隔を開けて設けた下流側の除塵部１８ａとから構成する。この抗アレルゲン部１８ｃにアレルゲン不活性化剤と吸湿性組成物とを含有する抗アレルゲン組成物からなる抗アレルゲン剤を付与する。
このようにしても、電動送風機１９の熱の影響を小さくできる。特に、抗アレルゲン部１８ｃと電動送風機１９間に除塵部１８ａ及び間隔を設けることによる空気層により熱の影響を小さくできる。
【００２３】
また、この場合も、電動送風機１９の吸込み風量が所定量より少なくなるとき、電動送風機１９の運転を停止又は回転数を小さくする制御を行うようにして、風量が減少することにより、電動送風機１９の熱が集塵袋１４まで伝わり、吸湿性組成物の水分供給能力を損うことを確実に防止することができる。
【００２４】
本実施の形態の電気掃除機に係る本発明の「上流側のフィルターに活性酸素発生剤を付与し、また、下流側のフィルター等に抗酸化剤を付与する構成」及び「電動送風機１９に対して、フィルター１８を介して上流側にの袋状の集塵フィルターに吸湿組成物を含む抗アレルゲン剤を付与する構成」は、それぞれ、先行技術に対する貢献をもたらす特別な技術的特徴をなし、また、これらの構成により、電気掃除機が異物、細菌、ダニ等を吸引しても、排気に人体に好ましくないものを排出しないようにするという共通の技術上の意義を有するものである。そこで、上記の構成による発明は、対応する特別な技術的特徴を有すると考えられる。
【図面の簡単な説明】
【００２５】
【図１】本発明の実施の形態１の電気掃除機の電気掃除機本体を示す横断面図である。
【図２】本発明の実施の形態１の電気掃除機の電気掃除機本体を示す縦断面図である。
【図３】本発明の実施の形態１の電気掃除機の抗酸化剤を付与したプレフィルター又は排気フィルターを示す断面図である。
【図４】本発明の実施の形態１の電気掃除機の抗酸化剤を付与した別のプレフィルター又は排気フィルターを示す断面図である。
【図５】本発明の実施の形態１の電気掃除機の抗アレルゲン剤を付与したプレフィルターを示す断面図である。
【符号の説明】
【００２６】
２  集塵室、３  電動送風機室、５  排気風路、６  隔壁、７  通風口、１４  袋状の集塵フィルター、１８  プレフィルター、１８ａ  除塵部、１８ｂ  抗酸化部、１８ｃ  抗アレルゲン部、１９  電動送風機、２１  排気口、２２  排気フィルター、２２ａ  除塵部、２２ｂ  抗酸化部。
【図１】
2006034851.tif 000003
【図２】
2006034851.tif 000004
【図３】
2006034851.tif 000005
【図４】
2006034851.tif 000006
【図５】
2006034851.tif 000007